(57)【要約】【課題】比較的簡易な構成とすることで小型化を可能とし、かつ従来品に比べて安価な電子機器の情報喪失防止装置を提供する。【解決手段】電子機器または、前記電子機器を搭載した装置、および前記電子機器を搭載した車両３０におけるバッテリ３２の交換時における電子機器の情報喪失置防止装置１０であって、バックアップ用電源１２と、前記電子機器または前記装置、および車両３０における電気的負荷部３４への接続手段１４と、を有し、バックアップ用電源１２と接続手段１４との間に、バックアップ用電源１２側から接続手段１４側への電流を通過させる逆電流防止手段１６と、逆電流防止手段１６の下流側に流れる電流に起因して起動するバックアップ電流通電確認手段１８と、を備えることを特徴とする。【選択図】図１
2019146412.tif 000002
【特許請求の範囲】
【請求項１】
電子機器または、前記電子機器を搭載した装置、および前記電子機器を搭載した車両における電源の交換時における電子機器の情報喪失防止装置であって、
バックアップ用電源と、
前記電子機器または前記装置、および前記車両における電気的負荷部への接続手段と、を有し、
前記バックアップ用電源と前記接続手段との間に、
前記バックアップ用電源側から前記接続手段側への電流を通過させる逆電流防止手段と、
前記逆電流防止手段の下流側に流れる電流に起因して起動するバックアップ電流通電確認手段と、を備えることを特徴とする電子機器の情報喪失防止装置。
【請求項２】
前記バックアップ用電源と、前記逆電流防止手段との間に、前記バックアップ用電源の状態を判定する第１表示部を有するバックアップ用電源電圧判定手段を備えることを特徴とする請求項１に記載の電子機器の情報喪失防止装置。
【請求項３】
前記バックアップ用電源の出力電圧は、前記電源の出力電圧よりも低く、
前記逆電流防止手段と、前記接続手段との間に、第２表示部を有するバッテリ接続判定手段を備え、
前記バッテリ接続判定手段は、前記バックアップ用電源の出力電圧よりも高い電圧が印加される事により前記第２表示部による接続表示を成す構成としたことを特徴とする請求項１または２に記載の電子機器の情報喪失防止装置。
【請求項４】
前記バックアップ電流通電確認手段は、前記バックアップ電流通電確認手段の起動に起因して接続表示を成す第３表示部を有することを特徴とする請求項３に記載の電子機器の情報喪失防止装置。
【発明の詳細な説明】
【技術分野】
【０００１】
本発明は、電子機器の情報喪失防止装置に係り、特に揮発性メモリを有する電子機器、あるいは、これらの電子機器を搭載した装置、車両等における電源（バッテリ）を交換する際に好適な、電子機器の情報喪失防止装置に関する。
【背景技術】
【０００２】
電子機器の情報喪失防止装置は、電子機器、あるいは電子機器を搭載した装置等におけるバッテリを交換する際に、電子機器に備えられた揮発性メモリに記録された情報の喪失を避けるためのバックアップ電源として用いられる装置である。
【０００３】
このような電子機器の情報喪失防止装置を用いる機会が多い例として、車両（自動車や自動二輪車等）におけるバッテリ交換時を挙げることができる。近年、車両には、多くの電装品が備えられており、時計やオーディオ、パワーウィンドウの他、トリップメータなど、揮発性メモリにより作動情報が管理されている電子機器が多くある。このため、電源電圧の喪失により、各電子機器の揮発性メモリに記録された情報が喪失すると、逐次復旧作業を行う必要が生じてしまう。また、トリップメータがリセットされてしまった場合には、給油のタイミングや、燃費の計算等が不確実なものとなるといった不利益が生じ得る。
【０００４】
このため従来より、車両整備工場などにおいては、バッテリ交換時に、特許文献１や特許文献２に開示されているようなバッテリバックアップ装置が利用されてきた。特許文献１に開示されている装置は、車両側へ接続した際の交流インピーダンスを計測することで、接続状態が維持されているか否かを判定する構成を備えると共に、バッテリの陽極と陰極が正しく接続されているかを判定する構成を備え、それぞれの判定が良好である場合にバッテリの交換作業を行うことで、バックアップ電源としての機能を発揮するというものである。
【０００５】
また、特許文献２に開示されている装置は、バックアップ用のバッテリを備え、このバックアップ用電源の電圧チェックを行う回路（バッテリチェック回路）と、車両に接続した際に供給される電圧を検出して、接続状態の監視を行う回路（車内負荷有無判断回路）とを並列接続した装置である。バッテリチェック回路には、メインスイッチと、バックアップ用電源の電圧の多寡に応じて点灯するチェックランプが備えられている。また、車内負荷有無判断回路には、メインスイッチと連動するサブスイッチと、車両への接続に起因して供給される電流の有無に応じて作動するリレーが備えられている。そして、リレーが作動して回路が接続される事で電圧が印加された場合に点灯する接続表示ランプが備えられている。  
【先行技術文献】
【特許文献】
【０００６】
【特許文献１】特開２０１５−２３７２９号公報
【特許文献２】特開平８−１４９７１９号公報
【発明の概要】
【発明が解決しようとする課題】
【０００７】
上記特許文献に開示されているようなバッテリバックアップ装置を用いてバッテリの交換作業を行う事によれば、電子機器の揮発性メモリに記録された情報を喪失することを避けることができると考えられる。しかし、特許文献１、２に開示されている装置は、いずれも整備工場などで使用されることが前提とされており、大型で高価なものである。このため、一般ユーザが、自らバッテリ交換作業を行う際には、利用する事が困難であるという問題がある。
【０００８】
本発明では、上記課題を解決し、比較的簡易な構成とすることで小型化を可能とし、かつ従来品に比べて安価な電子機器の情報喪失防止装置を提供することを目的とする。
【課題を解決するための手段】
【０００９】
上記目的を達成するための本発明に係る電子機器の情報喪失防止装置は、電子機器または、前記電子機器を搭載した装置、および前記電子機器を搭載した車両における電源（バッテリ）の交換時における電子機器の情報喪失防止装置であって、バックアップ用電源と、前記電子機器または前記装置、および前記車両における電気的負荷部への接続手段と、を有し、前記バックアップ用電源と前記接続手段との間に、前記バックアップ用電源側から前記接続手段側への電流を通過させる逆電流防止手段と、前記逆電流防止手段の下流側に流れる電流に起因して起動するバックアップ電流通電確認手段と、を備えることを特徴とする。
【００１０】
また、上記のような特徴を有する電子機器の情報喪失防止装置では、前記バックアップ用電源と、前記逆電流防止手段との間に、前記バックアップ用電源の状態を判定する第１表示部を有するバックアップ用電源電圧判定手段を備えるようにすると良い。このような特徴を有することによれば、電子機器の情報喪失防止装置が正常に機能する状態にあるか否かを確認することができる。
【００１１】
また、上記のような特徴を有する電子機器の情報喪失防止装置において、前記バックアップ用電源の出力電圧は、前記電源の出力電圧よりも低く、前記逆電流防止手段と、前記接続手段との間に、第２表示部を有するバッテリ接続判定手段を備え、前記バッテリ接続判定手段は、前記バックアップ用電源の出力電圧よりも高い電圧が印加される事により前記第２表示部による接続表示を成す構成とすることができる。このような特徴を有することによれば、バッテリ接続判定手段は、車両等のバッテリ（電源）が接続された場合のみ作動することとなる。このため、バッテリ交換時に、バッテリが正常に接続されていない状態で、自己のバックアップ用電源の電圧により、誤って第２表示部が接続表示を示すことが無い。これにより、車両のバッテリを正常に接続することを確認することができる。
【００１２】
さらに、上記のような特徴を有する電子機器の情報喪失防止装置において、前記バックアップ電流通電確認手段は、前記バックアップ電流通電確認手段の起動に起因して接続表示を成す第３表示部を有することが望ましい。このような特徴を有する場合、接続手段の接続が正常に成されている状態で、車両等からバッテリが外された場合、逆電流防止手段を電流が通過して、車両等における電気的負荷部に向けて電流が流れ出す。このため、バックアップ電流通電確認手段が起動し、第３表示部が接続表示を成すこととなる。
【００１３】
一方で、バッテリ接続判定手段には、逆電流防止手段の回路ロスを引いた分の電圧（バッテリ接続判定手段の作動電圧よりも低い電圧）が印加されることとなり、第２表示部は、バッテリの接続表示を示さない状態となる。つまり、第２表示部と第３表示部の表示の切り替えが成され、作業が正常に開始されたことを確認することが可能となる。
【発明の効果】
【００１４】
上記のような特徴を有する電子機器の情報喪失防止装置によれば、比較的簡易な構成とすることで小型化を実現することができる。また、構成を簡易なものとすることで、従来品に比べて安価に製造することが可能となる。
【図面の簡単な説明】
【００１５】
【図１】実施形態に係る電子機器の情報喪失防止装置とバッテリ交換対象とする車両の構成を模式的に示すブロック図である。
【図２】実施形態に係る電子機器の情報喪失防止装置の構成を概略的に示した回路図である。
【図３】実施形態に係る情報喪失防止装置における接続手段をワニ口クリップとする場合の例を示す図である。
【図４】実施形態に係る情報喪失防止装置における接続手段を診断装置接続用コネクタ対応型とする場合の例を示す図である。
【図５】実施形態に係る情報喪失防止装置の使用方法についての説明を行うためのフロー図である。
【発明を実施するための形態】
【００１６】
以下、本発明の電子機器の情報喪失防止装置に係る実施の形態について、図面を参照して詳細に説明する。まず、図１から図４を参照して、本実施形態に係る電子機器の情報喪失防止装置の構成について説明する。なお、図面において、図１は、実施形態に係る電子機器の情報喪失防止装置とバッテリ交換対象とする車両の構成を模式的に示すブロック図である。図２は、実施形態に係る電子機器の情報喪失防止装置の構成を概略的に示した回路図である。図３は、実施形態に係る情報喪失防止装置における接続手段をワニ口クリップとする場合の例を示す図である。図４は、実施形態に係る情報喪失防止装置における接続手段を診断装置接続用コネクタ対応型とする場合の例を示す図である。
【００１７】
［構成］
本実施形態に係る電子機器の情報喪失防止装置（以下、単に情報喪失防止装置１０と称す）は、バックアップ用電源１２と、接続手段１４、バックアップ用電源電圧判定手段２０、バッテリ接続判定手段２２、逆電流防止手段１６、及びバックアップ電流通電確認手段１８を備えて構成されている。
【００１８】
バックアップ用電源１２は、電子機器を搭載した車両等における電源（バッテリ）交換時における予備電源として働く要素である。バックアップ用電源１２は、所望の電圧を確保することができれば、その形態を限定するものではない。
【００１９】
バックアップ用電源１２は、詳細を以下に示す理由から、車両３０に搭載されているバッテリ（電源）３２の電圧よりも低く、かつ車両３０に搭載された電子機器の揮発性メモリの待機電圧を確保することのできる電圧を得る事ができるものであれば良い。具体的には、車両３０に搭載されたバッテリ３２の電圧を１２Ｖから１３Ｖ程度とした場合、実施形態に係るバックアップ用電源１２は、９Ｖ程度の電圧を確保することができれば良い。このため、所望の形態を有するリチウムイオン電池やニッケル水素電池等の二次電池の他、一般的な乾電池のような一次電池とすることもできる。例えば、バックアップ用電源１２として、出力電圧が１．５Ｖの乾電池を使用する場合には、６本の電池が直列に接続されるようにした電池ボックスを備えるようにすれば良い。また、バックアップ用電源１２は、ＡＣ電源からの供給電流の電圧や、直流の５Ｖなどの低電圧、および１８Ｖなどの高電圧を車両３０に搭載された電子機器の揮発性メモリの待機電圧を確保することの電圧に変換する回路を備えるようにし、種々の電源形態を採れるようにても良い。
【００２０】
接続手段１４は、バックアップ用電源１２と、車両３０に搭載された電子機器等の電気的負荷部３４とを電気的に接続するための要素である。接続手段１４による接続は、車両３０側のバッテリ３２の端子に直接接続する場合の他、診断装置接続用コネクタを介して接続する場合など、種々のパターンを挙げることができる。
【００２１】
接続手段１４としては、例えば図３に示すようなワニ口クリップ型のものや、図４に示すような診断装置接続用コネクタ対応型のものなど、様々な形態とすることができる。接続手段１４をいずれの形態とした場合であっても、陽極側と陰極（以下、ＧＮＤと称す）側の接続が正しくなされれば、接続手段１４としての役割を果たすことができるからである。
【００２２】
ここで、接続手段１４を診断装置接続用コネクタ対応型のもの（図４参照）とした場合、ワニ口クリップ型のものに比べて、意図せず接続状態が解除される事態（脱落）が生じ難くなるというメリットがある。また、診断装置接続用コネクタ対応型の接続手段では、電極の配置位置が予め定められているため、陽極とＧＮＤの接続を間違えるリスクを回避することができる。
【００２３】
バックアップ用電源電圧判定手段２０は、バックアップ用電源１２の出力電圧が使用許容範囲値以上であるか否かを判定する役割を担う。バックアップ用電源電圧判定手段２０は、表示部２０ａ（第１表示部）と電圧判定部２０ｂとを備え、バックアップ用電源１２からの出力電圧が許容値以上である場合に、表示部２０ａが点灯するように構成されている。
【００２４】
具体的には、表示部２０ａは、ＬＥＤ２０ａ１と、ＬＥＤ２０ａ１のアノード側に、ＬＥＤ２０ａ１に対して直列に接続された抵抗２０ａ２を配置することにより構成することができる。もちろん、抵抗２０ａ２の替わりに、ＣＲＤなどの素子を用いても良い。
【００２５】
また、電圧判定部２０ｂは、本実施形態の場合、所定の電圧以上（許容値：例えば７Ｖ以上）の電圧が印加された場合に電流を通過させることとなるツェナーダイオードにより構成することができる。
【００２６】
このような回路構成とすることで、バックアップ用電源１２の電圧が所定値（許容値）以上の場合のみ、バックアップ用電源電圧判定手段２０を構成する回路に電流が流れることとなり、ＬＥＤ２０ａ１が点灯する。
【００２７】
バッテリ接続判定手段２２は、車両３０にバッテリ３２が搭載（接続）された状態にあるか否かを判定するための手段である。バッテリ接続判定手段２２は、表示部２２ａ（第２表示部）と電流検出部２２ｂとを備える。ここで、バックアップ用電源１２の出力電圧をＶ０、バッテリ３２の出力電圧をＶ１、バッテリ接続判定手段２２における電流検出部２２ｂの作動電圧をＶ２とした場合、作動電圧Ｖ２の範囲は、Ｖ０＜Ｖ２≦Ｖ１とすれば良い。
【００２８】
バッテリ接続判定手段２２の表示部２２ａは、ＬＥＤ２２ａ１と、ＬＥＤ２２ａ１のアノード側に、ＬＥＤ２２ａ１に対して直列に接続された抵抗２２ａ２を配置することにより構成することができる。また、電流検出部２２ｂは、バイポーラトランジスタ（以下、ＢＪＴ２２ｂ１と称す）と、抵抗内蔵トランジスタ（以下、ＢＲＴ２２ｂ２と称す）を組み合わせる事により構成することができる。
【００２９】
具体的には、ＬＥＤ２２ａ１のカソード側にＢＲＴ２２ｂ２のコレクタを接続し、エミッタ側をＧＮＤとする。そして、逆電流防止手段１６の下流側に配置したラインを、ＢＪＴ２２ｂ１のベース側に接続し、コレクタ側をＢＲＴ２２ｂ２のベース電流として接続する。本実施形態では、逆電流防止手段１６とＢＪＴ２２ｂ１のエミッタ側接続ラインとの間にダイオード２４を配置し、電圧差を生じさせるように構成している。そして、ＢＪＴ２２ｂ１のベース側には、逆電流防止手段１６の下流側であって、ダイオード２４の上流側の電流が入力されるようにラインが接続している。そして、このような構成の電流検出部２２ｂでは、ＢＲＴ２２ｂ２のベース電流の作動電圧Ｖ２をＶ０＜Ｖ２≦Ｖ１となるような構成とすれば良い。
【００３０】
このような回路構成とすることで、バッテリ電圧がＶ０＜Ｖ２≦Ｖ１の場合にのみ、バッテリ接続判定手段２２を構成する回路に電流が流れることとなり、ＬＥＤ２２ａ１が点灯する。よって、接続手段１４が車両３０と接続されていない状態では、バックアップ用電源１２の自己電圧が作動電圧Ｖ２に達しない（低い）為、ＬＥＤ２２ａ１が点灯する事がない。
【００３１】
逆電流防止手段１６とバックアップ電流通電確認手段１８は、バックアップ用電源１２と接続手段１４との間に配置されている。逆電流防止手段１６は、バックアップ用電源１２側から接続手段１４側への電流を通過させる役割を担う。このため、こうした機能を備えた素子、あるいは電子回路により構成すれば良く、バックアップ用電源１２の陽極側電極と、接続手段１４の陽極側電極との間に直列に配置されることとなる。図２に回路構成を示す本実施形態では、逆電流防止手段１６として、ダイオードを用いている。ダイオードとして例えば、ｐｎ接合ダイオードを用いた場合、ｐ型素子（アノード）がバックアップ用電源１２側、ｎ型素子（カソード）が接続手段側１４に位置するように配置することで、上述した機能を発揮することが可能となる。
【００３２】
バックアップ電流通電確認手段１８は、車両３０のバッテリ３２を取り外した際、バックアップ用電源１２による通電が電気的負荷部３４に対して成されていることを示す役割を担う。
【００３３】
具体的には、ＬＥＤ１８ａ１の点灯により通電状態が確保されている事を示す回路が、バックアップ用電源１２に対して、車両３０の電気的負荷部３４と並列に接続されることとなるように配置されている。そして、バックアップ電流通電確認手段１８は、逆電流防止手段１６の下流側に流れる電流をトリガとして作動するように構成されている。
【００３４】
このような構成とすることで、車両３０に搭載されたバッテリ３２が接続された状態では、ダイオード２４のカソード側の電圧が高くなるため電流の流れが妨げられ、トリガとなるラインに電流が流れる事が無い。よって、実施形態に係る情報喪失防止装置１０では、バックアップ電流通電確認手段１８は、車両３０に搭載されたバッテリ３２が接続された状態では作動しない。
【００３５】
バックアップ電流通電確認手段１８の具体的な回路構成としては、例えば次のようなものとすることができる。バックアップ電流通電確認手段１８は、表示部１８ａ（第３表示部）と、電流検出部１８ｂとに分けることができる。表示部１８ａは、ＬＥＤ１８ａ１と、ＬＥＤ１８ａ１のアノード側に、ＬＥＤ１８ａ１に対して直列に接続された抵抗１８ａ２を配置することにより構成することができる。
【００３６】
電流検出部１８ｂは、バッテリ接続判定手段２２と同様にＢＪＴ１８ｂ１と、ＢＲＴ１８ｂ２とを組み合わせる事により構成することができる。具体的には、ＬＥＤ１８ａ１のカソード側にＢＲＴ１８ｂ２のコレクタを接続し、エミッタ側をＧＮＤとする。そして、逆電流防止手段１６の上流側に配置したラインを、ＢＪＴ１８ｂ１のエミッタ側に接続し、コレクタ側をＢＲＴ１８ｂ２のベース電流として接続する。ＢＪＴ１８ｂ１のベース側には、逆電流防止手段１６の下流側電流が入力されるようにラインが接続している。このような回路構成とすることで、逆電流防止手段１８を通過する電流が生じた場合のみＬＥＤ１８ａ１が作動することとなり、ＢＲＴ１８ｂ２には、作動を安定させるのに十分な電流を与えることができる。
【００３７】
なお、情報喪失防止装置１０を構成する回路には適宜、ヒューズなどの保護部品２６，２８あるいは保護回路を配置すると良い。
【００３８】
［使用方法］
次に、このような構成の情報喪失防止装置１０の使用方法について、図５に示すフローを参照して説明する。
まず、バックアップ用電源１２として、所定の電圧を生じさせる電源（例えば乾電池）をセットする（ステップ１０）。ステップ１０で電源をセットしたことで、バックアップ用電源１２としての許容電圧が確保された場合には、バックアップ用電源電圧判定手段２０のＬＥＤ２０ａ１が点灯する（ステップ２０）。一方、ＬＥＤ２０ａ１が点灯しない場合には、乾電池の向きや電圧などの確認を行う（ステップ３０）。
【００３９】
ステップ２０にて、ＬＥＤ２０ａ１の点灯を確認した後、車両３０側に接続手段１４を接続し、情報喪失防止装置１０と、電気的負荷部３４を電気的に接続する（ステップ４０）。接続手段１４が車両３０のバッテリ３２と電気的に接続されると、バッテリ接続判定手段２２のＬＥＤ２２ａ１が点灯する（ステップ５０）。一方、ＬＥＤ２２ａ１が点灯しない場合には、車両３０への接続不良の有無の確認を行う（ステップ６０）。
【００４０】
ステップ５０にて、ＬＥＤ２２ａ１の点灯を確認した後、車両３０からバッテリ３２を取り外す（ステップ７０）。車両からバッテリ３２を取り外すと、バッテリ接続判定手段２２のＬＥＤ２２ａ１が消灯し、バックアップ電流通電確認手段１８のＬＥＤ１８ａ１が点灯する（ステップ８０）。ステップ８０において、ＬＥＤ２２ａ１とＬＥＤ１８ａ１の点灯の切り替わりが成されない場合には、バッテリ３２の電圧が維持された状態であるため、バッテリ３２の端子と、車両側電極との離接状態を確認する（ステップ９０）。
【００４１】
取り外したバッテリ３２を新たなバッテリ３２と交換し、車両３０に取り付ける（ステップ１００）。車両３０に新たなバッテリ３２を取り付けると、バックアップ電流通電確認手段１８のＬＥＤ１８ａ１が消灯し、バッテリ接続判定手段２２のＬＥＤ２２ａ１が点灯する（ステップ１１０）。ステップ１１０において、ＬＥＤ１８ａ１とＬＥＤ２２ａ１の点灯の切り替わりが成されない場合には、バッテリ３２が正常に取り付けられていない可能性があるため、取付状態の確認を行う（ステップ１２０）。
【００４２】
ステップ１１０にて、ＬＥＤ２２ａ１の点灯を確認した後、接続手段１４による情報喪失防止装置１０と車両３０との接続を解除する（ステップ１３０）。情報喪失防止装置１０が取り外されると、バッテリ接続判定手段２２のＬＥＤ２２ａ１が消灯し、バックアップ用電源電圧判定手段２０のＬＥＤ２０ａ１のみが点灯した状態となる（ステップ１４０）。ステップ１４０において、ＬＥＤ２２ａ１が消灯しない場合には、接続手段１４の取り外し状態を確認する（ステップ１５０）。
ステップ１４０までを終えた後、情報喪失防止装置１０からバックアップ用電源１２となる電源（乾電池等）を取り出す。これにより、バックアップ用電源電圧判定手段２０のＬＥＤ２０ａ１が消灯する（ステップ１６０）。
【００４３】
［効果］
上記のような構成の情報喪失防止装置１０を使用して車両３０に搭載されているバッテリ３２の交換を行う事によれば、まず、バックアップ用電源電圧判定手段２０のＬＥＤ２０ａ１が点灯することにより、情報喪失防止装置１０が正常に機能する状態にあるか否かを確認することができる。
【００４４】
次に、バッテリ接続判定手段２２のＬＥＤ２２ａ１が点灯する事により、情報喪失防止装置１０が車両３０の電気的負荷部３４に電気的に接続されたか否かを確認することができる。そして、ＬＥＤ２２ａ１が消灯し、バックアップ電流通電確認手段１８のＬＥＤ１８ａ１が点灯することで、作業中のバックアップ電源が確保されている事（情報喪失防止装置１０が接続状態にある事）を確認することができる。
【００４５】
さらに、新たなバッテリ３２を車両３０に取り付けた際、ＬＥＤ１８ａ１が消灯し、バッテリ接続判定手段２２のＬＥＤ２２ａ１が点灯することで、新たなバッテリ３２が車両３０に接続された事を確認する事ができる。
【００４６】
このように、バッテリ３２の交換における各作業段階で、電気的負荷部３４への電力の供給状態を確認することができる。このため、車両３０に対して新たなバッテリ３２が正常に接続されていない状態で、情報喪失防止装置１０を取り外してしまうといった事態を避けることができる。
【００４７】
また、当然に、バッテリ３２の交換時における電気的負荷部３４への電力の供給が可能となるため、電子機器等における揮発性メモリに記録された情報が喪失することを防ぐことができる。
このような効果を奏する実施形態に係る情報喪失防止装置１０は、比較的簡易な構成とすることで従来品に比べて小型化を実現することができる。また、比較的簡易な構成とすることより、従来品に比べて安価に生産することが可能となる。よって、一般ユーザによるバッテリ交換作業にも利用することが容易となる。
【産業上の利用可能性】
【００４８】
上記実施形態では、逆電流防止手段１６やバックアップ電流通電確認手段１８、バックアップ用電源電圧判定手段２０、およびバッテリ接続判定手段２２等の各要素について、一例として、具体的な素子名を挙げて説明した。しかしながら、各要素は、それぞれ対応する機能を果たす事ができる構成であれば、使用する素子や回路の構成を限定するものではない。
【符号の説明】
【００４９】
１０………情報喪失防止装置、１２………バックアップ用電源、１４………接続手段、１６………逆電流防止手段、１８………バックアップ電流通電確認手段、１８ａ………表示部、１８ａ１………ＬＥＤ、１８ａ２………抵抗、１８ｂ………電流検出部、１８ｂ１………ＢＪＴ、１８ｂ２………ＢＲＴ、２０………バックアップ用電源電圧判定手段、２０ａ………表示部、２０ａ１………ＬＥＤ、２０ａ２………抵抗、２０ｂ………電圧判定部、２２………バッテリ接続判定手段、２２ａ………表示部、２２ａ１………ＬＥＤ、２２ａ２………抵抗、２２ｂ………電流検出部、２４………ダイオード、２６，２８………保護部品、３０………車両、３２………バッテリ、３４………電気的負荷部。
【図１】
2019146412.tif 000003
【図２】
2019146412.tif 000004
【図３】
2019146412.tif 000005
【図４】
2019146412.tif 000006
【図５】
2019146412.tif 000007